(57)【要約】【課題】  個々人が日常接する衣服や身回り品、或は、調度品やインテリアなど、様々な分野で用いられる色彩について、個々人それぞれの好みや趣味性、或は、季節や周囲の雰囲気などに沿って調和した色彩や色彩の組合せを選択するとき、或は、選択するために使用して有用な色彩調和のためのカラースケールを提供すること。【解決手段】  ベース上に、少なくとも黄、黄緑、緑、青緑、緑青、青、青紫、紫、赤紫、赤、赤橙、黄橙による12色のカラーを、前記の色相順で環状に並べて配置すると共に、各色相のカラーについて、夫々に同系色相の９つの色調を、３つの高明度のカラー，３つの中明度のカラー，３つの低明度カラーの順で前記環状の外周側から中心に向って前記環状と同心多重環状をなすように並べ、かつ、前記各明度の３つのカラーが環状の外周側から中心に向って、低彩度，中彩度，高彩度、高彩度，中彩度，低彩度、低彩度，中彩度，高彩度の順に並べて配置したこと。【選択図】図４
0003138326.tif 000002
【実用新案登録請求の範囲】
【請求項１】
ベース上に、少なくとも黄、黄緑、緑、青緑、緑青、青、青紫、紫、赤紫、赤、赤橙、黄橙による12色のカラーを、前記の色相順で環状に並べて配置すると共に、各色相のカラーについて、夫々に同系色相の９つの色調を、３つの高明度のカラー，３つの中明度のカラー，３つの低明度カラーの順で前記環状の外周側から中心に向って前記環状と同心多重環状をなすように並べ、かつ、前記各明度の３つのカラーが環状の外周側から中心に向って、低彩度，中彩度，高彩度、高彩度，中彩度，低彩度、低彩度，中彩度，高彩度の順に並べて配置したことを特徴とする色彩調和のためのカラースケール。
【請求項２】
ベースは、台紙又はフルカラー液晶画面で形成した請求項１のカラースケール。
【請求項３】
ベース上に同心多重環状に配置されたカラーは、イエローアンダートーンとブルーアンダートーンとが同系色調においてほぼ同数配置された請求項１又は２の色彩調和のためのカラースケール。
【請求項４】
請求項１又は２のカラースケールに対し、環状に配置されたいずれかのカラーを基準として選択したとき、その基準カラーに対してその反対色（又は補色）の関係になる他のカラー、並びに、前記基準カラーに対する同類系色相のカラーを見ることができるように形成したカラー選択マスクを上から被せ、かつ、その状態で当該マスクを適宜回転させて使うようにした請求項１又は２の色彩調和のためのカラースケール。
【請求項５】
カラー選択マスクは、前記色彩スケールにおける最外周に配置したカラーの環状形状と略同じ大きさの円板状に形成すると共に、選択される基準カラーなどのカラーを見るために、前記円板の中心から放射状に延びた円弧形状に窓孔を形成した請求項３の色彩調和のためのカラースケール。
【考案の詳細な説明】
【技術分野】
【０００１】
本考案は、服装を始め、室内装備品や身回り品など様々な分野において、使用する色彩（以下、カラーや色ともいう。）や使用したい色彩を、上手に使いこなすために用いて有用な色彩調和のためのカラースケールに関する。
【背景技術】
【０００２】
従来、色彩に関するスケールや指標、或は、基準としては、例えばマンセルの色立体や色相環が知られている。また、マンセルの色相環の応用例としてカラーイメージスケールが提案されている（特許文献１参照）。
本願の考案者も色彩の選択，活用を目的としたカラースケールを、先に特許第３１３４０３９号（特許文献２参照）として提案し、実際にカラーアレンジメント用のカラースケールとして実用に供されている。
【０００３】
公知のマンセル色立体や同じく色相環、或は、上記のカラーイメージスケールなどは、色彩の選択や判別の上で有用なものではあったが、人々が日常接する衣服や身回り品、或は、調度品やインテリアなどに適用する色彩の選択や色彩の組合せについては、千差万別な個々人の趣味性や個々人の好み、或は、季節や周囲の雰囲気などに沿って調和した色彩の選択や色彩の組合せを決めるためには、使い易いものではなかった。
【特許文献１】特公平５６−４６０８２号公報
【特許文献２】特許第３１３４０３９号公報
【考案の開示】
【考案が解決しようとする課題】
【０００４】
そこで本考案では、個々人が日常接する衣服や身回り品、或は、調度品やインテリアなど、様々な分野で用いられる色彩について、個々人それぞれの好みや趣味性、或は、季節や周囲の雰囲気などに沿って調和した色彩や色彩の組合せを選択するとき、或は、選択するために使用して有用な色彩調和のためのカラースケールを提供することを課題とする。
【課題を解決するための手段】
【０００５】
上記課題を解決することを目的としてなされた本考案カラースケールの構成は、ベース上に、少なくとも黄、黄緑、緑、青緑、緑青、青、青紫、紫、赤紫、赤、赤橙、黄橙による12色のカラーを、前記の色相順で環状に並べて配置すると共に、各色相のカラーについて、夫々に同系色相の９つの色調を、３つの高明度のカラー，３つの中明度のカラー，３つの低明度カラーの順で前記環状の外周側から中心に向って前記環状と同心多重環状をなすように並べ、かつ、前記各明度の３つのカラーが環状の外周側から中心に向って、低彩度，中彩度，高彩度、高彩度，中彩度，低彩度、低彩度，中彩度，高彩度の順に並べて配置したことを特徴とするものである。
【０００６】
上記の本考案カラースケールは、ベースの台紙に代えてフルカラータイプの液晶画面上に、上記と同一の配列で各カラーを並べて配置した構成によっても形成することができる。また、ベース上に同心多重環状に配置されたカラーは、イエローアンダートーンとブルーアンダートーンとが同系色調においてほぼ同数配置されたものである。
【０００７】
上記の本考案スケール上の配置された各カラーに対しては、環状に配置されたいずれかのカラーを基準として選択したとき、その基準カラーに対してその反対色（又は補色）の関係になる他のカラー、並びに、前記基準カラーに対する同類系の色相のカラーを見ることができるように形成したカラー選択マスクを用いる。このカラー選択マスクは、前記色彩スケールにおける最外周に配置したカラーの環状形状と略同じ形状の円板で形成し、その円板の中心から放射状に延びた放射円弧状の形状に前記基準カラーなどの選択されるカラーを見るための窓穴を形成したものである。
【考案の効果】
【０００８】
本考案カラースケールは、人の生活空間や様々な生活分野で使用される標準的なカラーを色相順に環状かつ同心状に並べて呈示しているので、自分の好みのカラーの選択、或は、選択したカラーと調和するカラーの選択などを、容易かつ迅速に行うことができる。特に、本考案では、スケール上に配置したカラーは、イエローアンダートーンとブルーアンダートーンとが同系色調においてほぼ同数配置したから、アンダートーンカラーにおける色彩調和を図るカラースケール（以下、CUSカラースケールという）としてきわめて好適である。
【考案を実施するための最良の形態】
【０００９】
次に、本考案の実施の形態例を図に拠り説明する。図１は本考案CUSカラースケールの一例の平面図、図２は図１のCUSカラースケールと組合せるカラー選択マスクの一例の平面図、図３は図１のCUSカラースケールと図２のマスクを組合せた状態における一例の平面図である。
【００１０】
図１において、１は本考案CUSカラースケールが形成される台紙で、ここではＢ５版乃至はＡ４版程度の大きさの上質厚紙を使用するが、用紙の大きさや材質は任意である。また、台紙１はプラスチック板や液晶画面に代えることができる。台紙１の平面形状は矩形状であるが、矩形以外の形状、例えば、円形或は多角形のものであってもよい。
【００１１】
上記台紙１には、上面に適宜半径の円２（環２ともいう）が描かれ、この円２が同心上の区画線３と直径上の区画線４により複数に区画されている。図の例で区画数は、環の半径上（中心からの放射方向上）で９区画、円周方向で16列の区画の合計144の区画である。前記の全区画において、同じ放射方向上に各区画内に複数のカラーが一定の規則によって配置されている。すなわち、同一の放射方向上に位置した９つの区画（同系色相の区画ともいう）において、円２の半径の略中間に位置した一つの区画にその色相の純色を含む中明度の同色相のカラーを配置し、この中間位置のカラーから円２の外周側に向って高明度の同系色相のカラーを、また円の中心側に向って低明度の同系色相のカラーを配置している。
【００１２】
このようにして、円２の円周方向において順に隣合う12列の区画におけるすべての同一放射方向上に位置する夫々９つの区画に、同系の色相のカラーを配置する。ここで、同系色相９区画における各列（放射方向）の区画に配置された同系色相は、円２の中心側から外周に向って順に３つの低明度のカラー、３つの中明度のカラー、３つの高明度のカラーが配置されているが、各明度グループのカラーは、夫々に、環状の中心側から外周に向って彩度が、高，中，低（低明度のカラー）、低，中，高（中明度のカラー）、高，中，低（高明度のカラー）と並ぶように配置されている。
【００１３】
上記のようにして本考案CUSカラースケールの一例が形成されるが、各色相のカラーの配置は、台紙１上の各区画に直接印刷するか、又は、カラー見本を貼付するかのいずれであってもよい。また、円２や区画線３，４は、各カラーの境界が形成するので、別途区画線を描かなくてもよい。なお、台紙１において6aは軸穴である。
【００１４】
本考案においては、上記各色相のカラーの配置を、フルカラー液晶画面に上記例と同様の区画を形成し、各区画に上記と同じ要領で上記と同じすべてのカラーを配置する構成の本考案CUSカラースケールもある。
本考案CUSカラースケールにおいては、台紙１に描く円２の同一半径上の放射状の区画に中心側から低，中，高となる明度順であって、彩度を考慮して配置された各カラーは、台紙１や液晶画面の円周上において、色相環の色相配列で配置されることになる。また、本考案カラースケールは図３に示すように、ブルーアンダートーンとイエローアンダートーンが同系色調において配置されるので、色彩調和を図る上でも使い易い。図３においてBuはブルーアンダートーン、Yuはイエローアンダートーンを意味する。
【００１５】
上記のようにして複数の色相のカラーを、中明度純色を半径上の区画の中間に位置付けて当該半径上の中心側から低，中，高の明度順に各色相のカラーが配置されて台紙１の上に形成された本考案CUSカラースケールに対し、該台紙１の円２の中心に、一例として図２に例示した軸６により回転自在にしてカラー選択マスク５を配置する。このマスク５は、台紙１に配置されたすべてのカラーを覆うことができる大きさであるが、後に述べる窓孔が形成されている。なお、マスク５の平面形状は図２に示した円形のほか、他の形状であってもよい。前記カラー選択マスク５において、6aは円の中心に形成した軸穴である。
【００１６】
上記のカラー選択マスク５には、その半径上に、台紙１に配置された一列の放射状区画に設けられた同系色相系のカラーを、このマスク５を通して見るための窓孔７が設けられている。また、前記窓孔７と前記軸穴6aを挟んで対称な位置に窓孔８が設けられている。
本考案CUSカラースケールにおいては、前記窓孔７から見えるカラーを基準カラーとすると、窓孔８から見えるカラーは、当該基準カラーと補色の関係にある反対色である。
【００１７】
本考案CUSカラースケールにおいて後に述べる他の窓孔との関係、或は、使用上の便宜に鑑み、ここでは図２の上方に位置した窓孔７を基準カラー用の窓孔とし、図２の下方に位置した窓孔８を該基準カラーに対する補色、つまり反対色用の窓孔とし、夫々の窓孔７，８の上にその旨の表示7a，8aが施されている。
【００１８】
図２のカラー選択マスク５において、９，10は上記基準カラー用の窓孔７の左，右両側に形成した基準カラーに類似した類系色相のカラーを見るための窓孔、11，12は反対色（補色）用の窓孔８の左，右両側に配置する反対色用の窓孔で、前記窓孔７から見える基準カラーの反対色が、基準カラーと向き合う90度の位置の窓穴８又は窓孔11若しくは12の窓孔から見えることになる。
【００１９】
図示した例では、基準カラーから見て類系色は基準カラーを含めた各90度の角度に位置し、そのための窓孔９，10は、それぞれ二つの色相にまたがる色が見えるように広幅に形成されている。
一方、基準カラーから見て補色を含む反対色は、窓孔８，11，12として一つの色相分の幅しか形成されていない。なお、9a，10aと11a，12aは、基準カラー７の類系色（類系色相ともいう）とこれらの反対色（反対色相ともいう）を示す表示である。本考案CUSカラースケールにおいて、上記各窓孔８〜12の幅を一つの色相分とするか、或は二つの色相分とするかは任意である。
【００２０】
本考案CUSカラースケールに適用するカラー選択マスク５においては、窓孔７を除く他の窓孔９〜12には、片開き式，両開き式，スライド式で扉を設けてもよい。このような扉を設けると、選んだ基準カラーに対して補色の関係にあるカラー等がどのような色相，明度、或は彩度にあるかを、実際の色を見る前にイメージすることができると共に、扉をあけて実際のカラーを確認できるので、調和するカラーを選択するためのイメージ訓練をするのに有用である。
【００２１】
上記のように台紙１の上に形成された本考案CUSカラースケールの環状の中心にカラー選択マスク５の中心をハト目等の軸６により回転自在に止めてもよい。
【００２２】
本考案CUSカラースケールの使用方法は次の通りである。まず、前記マスク５の基準カラー用の窓孔７を台紙１のカラースケールにおける所望のカラーがその窓孔７から見えるようにこのマスク５を両者の軸穴6aを合せて置く。こうすると、前記窓孔７から見えている基準カラーと反対色の中でも補色の関係にある色が窓孔８から見える。また、この窓孔８の左，右両側に窓孔８から見えている基準カラーの補色に類似した反対色が窓孔11，12から見える。つまり、調和し易いと考えられている各色相のカラーが各窓孔から見える。
【００２３】
そこでマスク５を回転させて窓孔７から見える基準カラーを変えると、他の窓孔８、同９〜12からはその基準カラーに対して上記例と同様の関係にある色相のカラーをそれぞれ見ることができる。本考案CUSカラースケールでは、カラー選択用マスク５に基準カラーが見える窓孔７と、当該窓孔７の左，右側に前記基準カラーと類系関係にあるカラーが見える窓孔９，10と、補色を含み反対色が見える窓孔８，11，12が形成されているので、類系配色と反対配色を同時に選定することができる。
【産業上の利用可能性】
【００２４】
本考案は以上の通りであって、異なる色相の複数のカラーを、同心状並びに周方向において多重環状をなすように配置し、このカラー群の中から基準カラーを選定すると、その基準カラーと一定の関係に立つ他の色相のカラーを一目瞭然に見ることができるので、様々な製品，商品、或は、生活場面において不可欠である調和のあるカラーの選択、或は、カラーの組合せなどのカラーアレンジメントを、誰もが容易に行えるようになり得るという格別の効果がある。
【図面の簡単な説明】
【００２５】
【図１】本考案CUSカラースケールの一例の平面図。
【図２】図１のカラースケールと組合せるカラー選択マスクの一例の平面図。
【図３】図１のカラースケールにおけるブルーアンダートーンとイエローアンダートーンの配置分布を説明するための平面図。
【図４】図１のカCUSラースケールと図２のマスクを組合せた状態における一例の平面図。
【符号の説明】
【００２６】
１        台紙
２        円
３，４    区画線
５        カラー選択マスク
６        軸
７        基準カラー用の窓孔
８，11，12    補色を含む反対色用の窓孔
９，10    基準カラーに類似した色相カラーを見る窓孔
【図１】
0003138326.tif 000003
【図２】
0003138326.tif 000004
【図３】
0003138326.tif 000005
【図４】
0003138326.tif 000006